(57)【特許請求の範囲】
【請求項１】
レンズ（１）に電磁波遮断コーティング（１ａ）を施した眼鏡において、
フレーム（２）の上部及び両側面に対して、フレーム（２）とは別体の磁性体により形成された磁界遮蔽板（３）を設け、それによりＶＤＴ（視覚表示端末）等の電磁波発生体（４）からの磁界（５）を、眼鏡着用者（６）の眼球に対して遮断できることを特徴とする、電磁波防止機能付眼鏡。
【請求項２】
磁界遮蔽板（３）がフレーム（２）に対して着脱可能に取り付けられた上部板（３１）及び側板（３２）を備え、上部板（３１）はフレーム（２）の上部より前後方向に大きな幅を有し、側板（３２）はフレーム（２）の側部より上下方向に大きな幅を有することを特徴とする請求項１記載の電磁波防止機能付眼鏡。
【請求項３】
レンズ（１）に電磁波の遮断機能を持つコーティングを施した眼鏡において、
導体を用いたフレーム（２）と、
フレーム（２）に取付けられ、電磁波遮断コーティング（１ａ）されたレンズ（１）と、
フレーム（２）に取付けられたレンズ（１）の端面とフレーム（２）のリム溝線（２１）との接合点に配位された導電材（７）と、
鼻当部（２２）と耳掛部（２３）との少なくとも何れか一方に形成された導電性を有する表面と、
上記のフレーム（２）の導体及び上記の導電材（７）を介して、レンズ（１）の電磁波遮断コーティング（１ａ）から上記の導電性を有する表面との間に形成された、電気的に連続したアース用の電気経路とを備え、
眼鏡を装着した際、上記のアース用の電機経路によって、レンズ（１）の電磁波遮断コーティング（１ａ）からフレーム（２）の鼻当部（２２）と耳掛部（２３）との少なくとも何れか一方を経由して眼鏡着用者（６）の皮膚へと到る、電気的に連続する経路を形成するものであることを特徴とする、電磁波防止機能付眼鏡。
【請求項４】
上記のレンズ（１）は、電磁波遮断コーティング（１ａ）が予め施されたレンズ（１）の周囲を加工し、レンズ（１）をフレーム（２）に装着する際、上記の加工が施されたレンズ（１）の周囲の端面に導電材（７）が塗布されたものであることを特徴とする、請求項３記載の電磁波防止機能付眼鏡。
【請求項５】
フレーム（２）に眼鏡着用者（６）の皮膚に接するチェーン（８）を取付け、そのチェーン（８）の部分に導電性，電磁波吸収機能，マイナスイオン発生機能のいずれか一つの特性を持たせたことを特徴とする、請求項３または４に記載の電磁波防止機能付眼鏡。
【請求項６】
請求項３または４に記載の電磁波防止機能付眼鏡について、前記の電気的に連続したアース用の電気経路を形成するために、レンズ（１）の周囲を加工した後レンズ（１）をフレーム（２）に装着する際、レンズ（１）の端面でフレーム（２）のリム溝線（２１）との接合点に導電材（７）を配位する加工を行うことを特徴とする、電磁波防止機能付眼鏡の加工方法。
【発明の詳細な説明】
【０００１】
【発明の属する技術分野】
本願発明は、電磁波防止機能付眼鏡及びその加工方法に関するものである。
【０００２】
【従来の技術】
最近、ＯＡ化の進展により、多くの人がブラウン管を使用したディスプレイであるＶＤＴ（視覚表示端末）を使用しているが、その中で健康障害を訴える人が増加しており、ＶＤＴから発生する電磁波がその原因ではないかと考えられている。また、その電磁波の影響でＶＤＴ使用中の人の眼球が温度上昇を起こし、眼球に悪影響を及ぼす可能性がある。その対策として、様々な物が発明・考案されているが、電磁波防止機能付眼鏡もその一つである。
電磁波防止機能付眼鏡については、特開平１１−１４９０６３，特開平１１−６９８５，特開平７−２３１９０８の公報において技術が開示されている。これらは、眼鏡のレンズに電磁波の遮断機能を持つコーティングを施したものであり、コーティングには、ＩＴＯ（インジウム錫酸化物）等の透明導電性材料が用いられる。
【０００３】
【発明が解決しようとする課題】
ところで、財団法人労働科学研究所発行「ＶＤＴ作業の物理環境」には、電磁波の波源に近い所においての電磁界は、近傍電磁界と呼ばれ、一般的な電磁界とは異なる挙動を示すことが示されている。近傍電磁界においては、電界と磁界が別々に扱われる。
図２（Ａ）に示すように、電界についてはＶＤＴからほぼ直進し、ＶＤＴ使用者の眼球に到達するため、従来のレンズにのみに対策を施した眼鏡で対応可能であった。しかし、磁界については、図２（Ｂ）に示すように、ＶＤＴから回り込む形でＶＤＴ使用者に届くため、眼球の正面側に配置されるレンズにのみ対策を施した眼鏡では、対応できなかった。そこで、本願発明は、ＶＤＴから発生する磁界からＶＤＴ使用者の眼球を保護できる眼鏡を提供することを課題とする。
【０００４】
また、前記のコーティングを施したレンズを、電界を遮蔽する手段として有効に作用させるには、そのレンズを電気的にアースして、ＶＤＴから発生する電界によってレンズに発生した電荷を眼鏡装着者の体外に逃がしてやる必要がある。本願発明においては、レンズを電気的にアースした眼鏡を提供し、またその加工方法を提供することを課題とする。
【０００５】
【課題を解決するための手段】
本願の請求項１に係る発明にあっては、レンズ（１）に電磁波遮断コーティング（１ａ）を施した眼鏡において、フレーム（２）の上部及び両側面に対して、フレーム（２）とは別体の磁性体により形成された磁界遮蔽板（３）を設け、それによりＶＤＴ（視覚表示端末）等の電磁波発生体（４）からの磁界（５）を、眼鏡着用者（６）の眼球に対して遮断できることを特徴とする、電磁波防止機能付眼鏡を提供することにより、上記の課題を解決する。
本願の請求項２に係る発明にあっては、磁界遮蔽板（３）がフレーム（２）に対して着脱可能に取り付けられた上部板（３１）及び側板（３２）を備え、上部板（３１）はフレーム（２）の上部より前後方向に大きな幅を有し、側板（３２）はフレーム（２）の側部より上下方向に大きな幅を有することを特徴とする請求項１記載の電磁波防止機能付眼鏡を提供する。
【０００６】
本願の請求項３に係る発明にあっては、レンズ（１）に電磁波の遮断機能を持つコーティングを施した眼鏡において、導体を用いたフレーム（２）と、フレーム（２）に取付けられ、電磁波遮断コーティング（１ａ）されたレンズ（１）と、フレーム（２）に取付けられたレンズ（１）の端面とフレーム（２）のリム溝線（２１）との接合点に配位された導電材（７）と、鼻当部（２２）と耳掛部（２３）との少なくとも何れか一方に形成された導電性を有する表面と、上記のフレーム（２）の導体及び上記の導電材（７）を介して、レンズ（１）の電磁波遮断コーティング（１ａ）から上記の導電性を有する表面との間に形成された、電気的に連続したアース用の電気経路とを備え、眼鏡を装着した際、上記のアース用の電機経路によって、レンズ（１）の電磁波遮断コーティング（１ａ）からフレーム（２）の鼻当部（２２）と耳掛部（２３）との少なくとも何れか一方を経由して眼鏡着用者（６）の皮膚へと到る、電気的に連続する経路を形成するものであることを特徴とする、電磁波防止機能付眼鏡を提供する。
【０００７】
本願の請求項４に係る発明にあっては、上記のレンズ（１）は、電磁波遮断コーティング（１ａ）が予め施されたレンズ（１）の周囲を加工し、レンズ（１）をフレーム（２）に装着する際、上記の加工が施されたレンズ（１）の周囲の端面に導電材（７）が塗布されたものであることを特徴とする、請求項３記載の電磁波防止機能付眼鏡を提供する。
本願の請求項５に係る発明にあっては、フレーム（２）に眼鏡着用者（６）の皮膚に接するチェーン（８）を取付け、そのチェーン（８）の部分に導電性，電磁波吸収機能，マイナスイオン発生機能のいずれか一つの特性を持たせたことを特徴とする、請求項３または４に記載の電磁波防止機能付眼鏡を提供する。
【０００８】
本願の請求項６に係る発明にあっては、請求項３または４に記載の電磁波防止機能付眼鏡について、前記の電気的に連続したアース用の電気経路を形成するために、レンズ（１）の周囲を加工した後レンズ（１）をフレーム（２）に装着する際、レンズ（１）の端面でフレーム（２）のリム溝線（２１）との接合点に導電材（７）を配位する加工を行うことを特徴とする、電磁波防止機能付眼鏡の加工方法を提供する。
【０００９】
【発明の実施の形態】
以下、図面と共に本願発明の実施の形態について説明する。
図１は、本願発明の実施の形態に係る眼鏡の斜視図であり、図３，４は、磁界遮蔽板３の説明図である。
【００１０】
この眼鏡は、主な構成要素としてレンズ１、フレーム２、磁界遮蔽板３から成っている。
レンズ１は、通常の眼鏡用に用いるガラスやプラスチックのレンズを素材として、電磁波遮断コーティング１ａとして、蒸着やスパッタリング等の方法を用い、ＩＴＯ（インジウム錫酸化物）等の透明導電性素材をコーティングしたものを使用する。素材とするレンズは透明なものを用いても良いし、着色したものを用いても良い。
【００１１】
前記電磁波遮断コーティング１ａを施されたレンズ１が眼球の正面側に配置されるため、図２（Ａ）に示すように、ＶＤＴ４内部に設置されているフライバックトランス（偏向回路）１０から発生する電界１１を遮蔽することができる。よって、眼鏡着用者６の眼球は電界１１から保護される。
【００１２】
フレーム２の素材には、後述するアース作用を眼鏡に付加させるため、導体が使用されている。これは、導体である金属を加工して成形するか、樹脂等の不導体上に導体をコーティングするか、あるいは導体の粒子を練り込むことにより形成される。ただし、フレーム２において表面に導電性を持たせる必要があるのは、眼鏡着用者６の皮膚に触れる部分、例えば鼻当部（パット）２２や耳掛部（モダン）２３のみで良く、他の部分は樹脂等の不導体で覆っておいても良い。また、後述する磁界５の対策として、フレーム２に導体でもあり磁性体でもある素材を使用することで、フレーム２自体にも磁界遮蔽作用を持たせることができる。
【００１３】
フレーム２の上部及び両側面には、磁性体により形成された磁界遮蔽板３が形成される。磁界遮蔽板３は、上部板３１と側板３２，３２から成る。この磁界遮蔽板３は鉄，ニッケル，コバルト等の強磁性体の金属やフェライト等の素材を用いて、それ自体を加工するか、任意の基材に蒸着やメッキによって層を作るか、あるいは樹脂に前記素材の微細な粉を練り込むことにより形成される。なお、磁界遮蔽板３は、本願発明の実施の形態のように着脱自在の構造に形成しても良いし、フレームに直接固定して形成しても良い。
【００１４】
上部板３１には、図３（Ａ）（Ｂ）に示すようにクランプ片３１ａ，３１ｂが設けられており、クランプ片３１ａ，３１ｂがフレーム２のレンズ周囲左右部分２４を挾持することにより、フレーム２に上部板３１が取付けられる。また、側板３２には、図４（Ａ）（Ｂ）（Ｃ）に示すようにフレーム引掛部３２ａ，クランプ片３２ｂが設けられており、フレーム２のつる部分２５を挾持することにより、フレーム２に側板３２が取付けられる。
【００１５】
前記の磁界遮蔽板３は、図２（Ｂ）に示すように、ＶＤＴ４内部に設置されている偏向ヨークコイル９から発生し、回り込んで眼球に向かう磁界５を遮蔽する。よって、眼球は磁界５から保護される。
【００１６】
ＶＤＴ４から発生する電界１１により、レンズ１内部には静電誘導による電荷が発生する。その電荷をレンズ１からフレーム２を通り、眼鏡着用者６の皮膚から身体を抜けて地面に逃がすことのできる、電気的に連続する経路を形成する（アース作用を持たせる）必要がある。よって、フレーム２には導体が使用されている。また、レンズ１は販売店にてその周囲をフレーム２に合わせて加工するが、その際レンズ周囲に図５（Ａ）（Ｂ）に示すように塗料状の導電材７をハケ塗り等の方法により塗布し、フレーム２に組み込むことで、フレーム２のリム溝線２１とレンズ１との間の部分に導電材７が配位される。よって、レンズ１の電磁波遮断コーティング１ａからフレーム２への電気経路が確保される。本願発明の実施の形態においては、導電材７を塗料状のものとしているが、それに限定されるものではなく、樹脂パテ状の導電性クッション材やチタン，ニッケル等の金属箔としても良い。
【００１７】
本願発明の他の実施例としては、図６に示すように、フレーム２に導体で形成されたチェーン８を取り付けることがあげられる。チェーン８は、眼鏡装着時に眼鏡着用者６の皮膚に接触される。フレーム２とチェーン８を電気的に接続しておくことで、フレーム２表面で眼鏡着用者６の皮膚に触れる部分において導電性を持たせなくても、電気的に連続する経路を形成する（アース作用を持たせる）ことができる。
また、このチェーン８に別体として、フェライト等電磁波吸収機能を持つ付属体９を取り付け、その機能を発揮させても良い。
【００１８】
また、その他の実施例として、フレーム２やチェーン８や付属体９に、いわゆるマイナスイオン発生機能を持つ素材を使用することもできる。マイナスイオンは、森林浴のリラクゼーション効果に代表されるように疲労回復，自律神経系の調整，新陳代謝促進等、身体機能を良好に保つ作用があると言われている。
マイナスイオンの発生機能を持つ素材としては、放射性同位元素の一種，摩擦によりマイナスイオンを発生するセラミック，トルマリン等の鉱石があげられ、それらをフレーム２やチェーン８や付属体９に混入することにより、マイナスイオン発生機能を持たせる。
ある測定結果によると、通常の室内環境ではマイナスイオン量が、６０／ｃｃ〜８８／ｃｃであるのに対して、稼働中のＶＤＴ前面３０ｃｍの距離においては、０／ｃｃつまりマイナスイオンが全く存在しない状態であった。しかし、ＶＤＴ使用者がマイナスイオン発生機能を持った眼鏡を着用すると、ＶＤＴ使用者の周りでは、２００／ｃｃ〜１１００／ｃｃ、平均では約４００／ｃｃのマイナスイオン量とすることができる。よって、この眼鏡を使用することにより、ＶＤＴ使用者の身体機能を良好に保つことが期待できる。
【００１９】
また、これまで述べてきたように、この眼鏡を使用することによって、眼鏡着用者６の眼球は、ＶＤＴ４から発生する磁界５及び電界１１から保護されるため、前記両者の影響で引き起こされると言われている、いわゆるドライアイも防止できると考えられる。
【００２０】
なお、本願発明の眼鏡は、通常の眼鏡の形状に限定されるものではなく、ゴーグル等の形状としても良い。ゴーグル形状の場合、レンズの周囲を取り巻く形で磁界遮蔽板３を形成することができる（図示はしない）。
また、既存のフレームに対しても、金属フレームの場合は、磁界遮蔽板３を取りつけることにより磁界遮断機能を持たせることができ、電磁波遮断コーティング１ａを施されたレンズ１の端面に導電材７を配位し、鼻当部（パット）２２や耳掛部（モダン）２３を導体とするか、導体のチェーン８をフレームに取りつけることにより、アース作用を持たせることができる。プラスチックフレームの場合は、磁界遮蔽板３を取りつけることにより磁界遮断機能を持たせることができる。なお、付属体９をチェーン８やフレーム自体に取り付ける場合、その機能は前記と同様に発揮される。
【００２１】
【発明の効果】
本願の請求項１及び２の発明にあっては、フレーム２の上部及び両側面に磁性体により形成された磁界遮蔽板３を設けることにより、電磁波のみならず、磁界５に対しても眼鏡着用者６の眼球を保護できる眼鏡を提供することができる。
本願の請求項３〜５の発明にあっては、レンズ１の電磁波遮断コーティング１ａからフレーム２を経由して眼鏡着用者６の皮膚へと到る、電気的に連続する経路を形成し、アース作用を持たせた眼鏡を提供することにより、電界を遮蔽する手段としてレンズ１を有効に作用させることができる。
また、請求項５の発明においては、チェーン８の部分に導電性，電磁波吸収機能，マイナスイオン発生機能のいずれか一つの特性を持たせることにより、それらの効果を期待できる眼鏡とすることができる。
また、本願第６の発明においては、レンズ１の端面に導電材７を施す電磁波防止機能付眼鏡の加工方法を提供することにより、本願請求項３及び４の発明に係る眼鏡を容易に加工することができる。
【図面の簡単な説明】
【図１】本願発明の実施の形態に係る眼鏡の斜視図である。
【図２】（Ａ）ＶＤＴから発生する電界の説明図である。
（Ｂ）ＶＤＴから発生する磁界の説明図である。
【図３】（Ａ）本願発明の実施の形態に係る上部板の上面図である。
（Ｂ）（Ａ）のＡ−Ａ断面図である。
【図４】（Ａ）本願発明の実施の形態に係る側板の正面図である。
（Ｂ）（Ａ）のＡ−Ａ断面図である。
（Ｃ）（Ａ）のＢ−Ｂ断面図である。
【図５】（Ａ）本願発明の実施の形態に係る眼鏡のレンズ部分の断面図である。
（Ｂ）（Ａ）の要部拡大断面図である。
【図６】本願発明の他の実施の形態に係る眼鏡の斜視図である。
【符号の説明】
１      レンズ
１ａ    電磁波遮断コーティング
２      フレーム
２１    リム溝線
３      磁界遮蔽板
４      電磁波発生体，ＶＤＴ
５      磁界
６      眼鏡着用者
７      導電材
８      チェーン
【図１】
0003914699.tif 000002
【図２】
0003914699.tif 000003
【図３】
0003914699.tif 000004
【図４】
0003914699.tif 000005
【図５】
0003914699.tif 000006
【図６】
0003914699.tif 000007